(57)【要約】【課題】電気機器の受電端子が短手方向に沿った端部に設けられていても、充電装置の給電端子部材と電気機器の受電端子とを確実に接触可能な充電装置を提供する。【解決手段】電気機器の充電装置１であって、凹部に対する電気機器の装着によって第１摺動方向Ｄ１に摺動する第１摺動部材１０と、第１摺動方向Ｄ１と交わる第２摺動方向Ｄ２に沿って摺動する第２摺動部材３０と、第１摺動部材１０の第１摺動方向Ｄ１への摺動を第２摺動部材３０の第２摺動方向Ｄ２への摺動に変換する摺動方向変換手段２０と、第２摺動部材３０の位置が変化することで突出状態と引退状態との間で第２摺動方向Ｄ２に沿って作動する給電端子部材４０ａ、４０ｂと、第１摺動部材１０を第１摺動方向Ｄ１とは逆方向に付勢する第１付勢手段１７、及び、第２摺動部材３０を第２摺動方向Ｄ２とは逆方向に付勢する第２付勢手段３７の少なくとも一方とを備える。【選択図】図２
2007195314.tif 000002
【特許請求の範囲】
【請求項１】
電気機器が装着される凹部を有する筐体を備えて構成される電気機器の充電装置であって、
前記筐体は、前記凹部が形成された上部筐体と下部筐体とで構成され、
一部が前記凹部から突出する状態で、前記筐体内に形成される空間の広がり方向に沿って摺動可能に設けられ、前記電気機器の前記凹部に対する装着によって第１摺動方向に摺動する第１摺動部材と、
前記空間の広がり方向に沿い、前記第１摺動方向と交わる第２摺動方向に沿って摺動可能に設けられる第２摺動部材と、
前記第１摺動部材及び前記第２摺動部材と連結され、前記第１摺動部材の前記第１摺動方向への摺動を、前記第２摺動部材の前記第２摺動方向への摺動に変換する摺動方向変換手段と、
前記第２摺動方向に沿って前記第２摺動部材の位置が変化することで、前記筐体の外部に突出して前記電気機器の受電端子と接触可能な突出状態と、前記筐体の内部に引退して前記受電端子と接触不可能な引退状態との間で、前記第２摺動方向に沿って作動する給電端子部材と、
前記第１摺動部材を前記第１摺動方向とは逆方向に付勢する第１付勢手段、及び、前記第２摺動部材を前記第２摺動方向とは逆方向に付勢する第２付勢手段の少なくとも一方と、を備える電気機器の充電装置。
【請求項２】
前記摺動方向変換手段は、前記上部筐体或いは前記下部筐体から突出した軸部材を中心として回動可能に設けられ、前記第１摺動部材及び前記第２摺動部材と互いに回動可能に連結されている請求項１記載の電気機器の充電装置。
【請求項３】
前記第１摺動部材は、前記凹部から突出する突出部を有し、
前記突出部は、前記電気機器が当接する傾斜面を有する請求項１又は２記載の電気機器の充電装置。
【発明の詳細な説明】
【技術分野】
【０００１】
本発明は、電気機器が装着される凹部を有する筐体を備えて構成される電気機器の充電装置に関する。
【背景技術】
【０００２】
携帯電話などの電気機器が装着される凹部を有する筐体を備え、その凹部に電気機器が装着されると電気機器への充電が開始されるような充電装置がある。
図５に示す特許文献１に記載の充電装置１００は、上部筐体１０２と下部筐体１０３とで構成される筐体１０１を有し、下部筐体１０３に各種部品が装着されている。電気機器が装着される凹部１０４を有する筐体１０１は略長方形であり、その長手方向に沿った両端部に、揺動部材１０７と導電性の給電端子部材１１１とが設けられている。また、下部筐体１０３の内底面に沿って摺動可能な摺動部材１０５は、揺動部材１０７及び給電端子部材１１１と当接している。揺動部材１０７は、下部筐体１０３に連結された軸１１０によって下部筐体１０３に対して揺動可能に軸支され、電気機器２００が凹部１０４に装着されると、凹部１０４から突出していた突出部１０８が電気機器２００によって筐体１０１内部へと押し下げられる。その結果、揺動部材１０７の当接部１０９と摺動部材１０５の当接部１０６とが当接し、摺動部材１０５はｄ１方向に変位する。給電端子部材１１１は、弾性を有するワイヤ状の部材であり、自身の弾性力によって凹部１０４から突出するように下部筐体１０３の内底面に装着されている。但し、摺動部材１０５は、上部筐体１０２との間に設けられたバネ１１２によってｄ２方向に付勢されている。その結果、摺動部材１０５は、揺動部材１０７が凹部１０４から突出するように付勢し、給電端子部材１１１が凹部１０４から筐体１０１内に引退するように付勢している。このように、特許文献１に記載の充電装置１００では、揺動部材１０７の作動方向及び給電端子部材１１１の作動方向は共にｄ１及びｄ２に沿った同一直線方向である。
【０００３】
【特許文献１】特開２００５−２７８２５２号公報
【発明の開示】
【発明が解決しようとする課題】
【０００４】
特許文献１に記載の充電装置は、給電端子部材１１１が筐体１０１の長手方向に沿った端部に設けられている。これは、電気機器２００の受電端子がその長手方向に沿った端部に設けられているからである。但し、電気機器２００の仕様によっては電気機器２００の受電端子がその短手方向に沿った端部などに設けられるように設計されることもある。その場合、同一方向に沿って作動する上記揺動部材１０７と上記摺動部材１０５と上記給電端子部材１１１とを筐体１０１の短手方向に沿って作動するように設ける必要がある。しかし、図５からも分かるように、その機構を筐体１０１の短手方向に沿って作動するように設けることは、充電装置の横幅が限られていることを考慮すると、実際にはスペース的に困難である。
【０００５】
本発明は、上記の課題に鑑みてなされたものであり、その目的は、電気機器の受電端子が短手方向に沿った端部に設けられていても、充電装置の給電端子部材と電気機器の受電端子とを確実に接触させることができる充電装置を提供する点にある。
【課題を解決するための手段】
【０００６】
上記目的を達成するための本発明に係る電気機器の充電装置の特徴構成は、電気機器が装着される凹部を有する筐体を備えて構成される電気機器の充電装置であって、
前記筐体は、前記凹部が形成された上部筐体と下部筐体とで構成され、
一部が前記凹部から突出する状態で、前記筐体内に形成される空間の広がり方向に沿って摺動可能に設けられ、前記電気機器の前記凹部に対する装着によって第１摺動方向に摺動する第１摺動部材と、
前記空間の広がり方向に沿い、前記第１摺動方向と交わる第２摺動方向に沿って摺動可能に設けられる第２摺動部材と、
前記第１摺動部材及び前記第２摺動部材と連結され、前記第１摺動部材の前記第１摺動方向への摺動を、前記第２摺動部材の前記第２摺動方向への摺動に変換する摺動方向変換手段と、
前記第２摺動方向に沿って前記第２摺動部材の位置が変化することで、前記筐体の外部に突出して前記電気機器の受電端子と接触可能な突出状態と、前記筐体の内部に引退して前記受電端子と接触不可能な引退状態との間で、前記第２摺動方向に沿って作動する給電端子部材と、
前記第１摺動部材を前記第１摺動方向とは逆方向に付勢する第１付勢手段、及び、前記第２摺動部材を前記第２摺動方向とは逆方向に付勢する第２付勢手段の少なくとも一方と、を備える点にある。
【０００７】
上記特徴構成によれば、電気機器の装着によって変位する第１摺動部材が摺動する第１摺動方向と、給電端子部材を作動させる第２摺動部材が摺動する第２摺動方向（つまり、給電端子部材の作動方向）とが交わることになる。その結果、上記第１摺動部材を電気機器の長手方向に対応させて設けつつ、給電端子部材が、筐体の凹部に装着される電気機器の短手方向に沿って作動するように構成できる。
従って、電気機器の受電端子がその短手方向に沿った端部に設けられていても、充電装置の給電端子部材と電気機器の受電端子とを確実に接触させることができる充電装置を提供できる。
【０００８】
本発明に係る電気機器の充電装置の別の特徴構成は、前記摺動方向変換手段は、前記上部筐体或いは前記下部筐体から突出した軸部材を中心として回動可能に設けられ、前記第１摺動部材及び前記第２摺動部材と互いに回動可能に連結されている点にある。
【０００９】
上記特徴構成によれば、第１摺動部材、第２摺動部材及び摺動方向変換手段の何れもが、筐体内に形成される空間の広がり方向に沿って変位するようになる。つまり、筐体の高さ方向には、第１摺動部材、第２摺動部材及び摺動方向変換手段が変位するための大きな内部空間は不要になる。その結果、筐体の薄型化が可能になる。
【００１０】
本発明に係る電気機器の充電装置の別の特徴構成は、前記第１摺動部材は、前記凹部から突出する突出部を有し、
前記突出部は、前記電気機器が当接する傾斜面を有する点にある。
【００１１】
上記特徴構成によれば、上記傾斜面に電気機器が当接することで、電気機器の重さ或いは筐体の凹部に電気機器を装着しようとする力によって第１摺動部材が電気機器に対して相対移動することになる。つまり、筐体の凹部への電気機器の装着と、充電装置からの給電端子部材の突出とが連動することになる。その結果、筐体の凹部に電気機器が装着されていないときには、充電装置から給電端子部材は突出しておらず、給電端子部材に物体が接触する可能性や、給電端子部材同士が短絡する可能性などを排除できる。
【発明を実施するための最良の形態】
【００１２】
以下に図面を参照して本発明の電気機器の充電装置について説明する。
図１は、充電装置１の分解斜視図である。本発明の充電装置１は、電気機器が装着される凹部４を有する筐体２を備え、その凹部４に電気機器が装着されると充電装置１の給電端子部材４０ａ、４０ｂと電気機器の受電端子とが接触し、充電が開始されるように構成されている。そのため、以下に説明するように、電気機器が凹部４に装着されていないときは給電端子部材４０ａ、４０ｂは充電装置１の筐体２内に引退し、電気機器が凹部４に装着されたときに給電端子部材４０ａ、４０ｂが筐体２外に突出するように構成してある。
【００１３】
充電装置１の筐体２は、上部筐体３と下部筐体７とで構成され、各種部品は上部筐体３に装着されている。そして、各種部品が既に組み付けられた上部筐体３の下方から下部筐体７を合わせて、上部筐体３と下部筐体７とが組み付けられる。その結果、各種部品を上部筐体３に対して確実に装着した状態のままで、上部筐体３と下部筐体７とを嵌め合わせることが可能となる。
【００１４】
図２は、電気機器の充電装置１の筐体２内に各種部品が装着された状態を示す透視図である。筐体２内には、スライダカム１０、スライダカム用スプリング１７、カム２０、スライダ３０、スライダ用スプリング３７、及び、給電端子部材４０ａ、４０ｂが設けられている。
【００１５】
スライダカム１０は本発明の第１摺動部材として作用し、一部が凹部４から突出する状態で、筐体２内に形成される空間の広がり方向に沿って摺動可能に設けられ、電気機器の凹部４に対する装着によって第１摺動方向Ｄ１に摺動する。具体的には、スライダカム１０は、平板状で矩形の底板部１１と、底板部１１に対して垂直に突出した二つの突出部１２ａ、１２ｂとを有するＬ字型の部材である。そして、スライダカム１０の底板部１１は上部筐体３の内天面に対して平行に摺動する。突出部１２ａ、１２ｂは底板部１１の一端部に上面側に向けて突出するように形成され、底板部１１と突出部１２ａ、１２ｂの先端とを結ぶ傾斜面１３ａ、１３ｂを有する。
また、底板部１１には上面側と下面側との間で矩形に貫通した長孔部１４が設けられ、その長孔部１４の内壁には第１摺動方向Ｄ１に向かって棒状に突出した係止部１５が設けられている。更に、上記突出部１２ａ、１２ｂが設けられているのとは別の他端部にも上面側と下面側との間で矩形に貫通した軸受孔１６が設けられる。
【００１６】
スライダカム用スプリング１７は本発明の第１付勢手段として作用し、係止部１５の周囲を取り囲むようにして係止部１５に係止される。そして、スライダカム用スプリング１７の一端は係止部１５の根本のスライダカム１０（長孔部１４の内壁）に当接し、他端は上部筐体３の内天面から下方に突出するストッパ部５に当接する。従って、スライダカム用スプリング１７は、スライダカム１０を第１摺動方向Ｄ１とは逆方向に付勢している。
【００１７】
一対の給電端子部材４０ａ、４０ｂは、弾性を有するワイヤ状の導電性材料を用いて構成される。そして、中央部分でコイル状に巻回された支点部４１ａ、４１ｂに形成され、その支点部４１ａ、４１ｂの両端側には接触端部４２ａ、４２ｂと接続端部４３ａ、４３ｂして作用する。接触端部４２ａ、４２ｂは、電気機器の受電端子と接触可能な端部であり、接続端部４３ａ、４３ｂは、充電装置１の回路基板と接続可能な端部である。
【００１８】
スライダ３０は本発明の第２摺動部材として作用し、筐体２内の空間の広がり方向に沿い、上記第１摺動方向Ｄ１と垂直に交わる第２摺動方向Ｄ２に沿って摺動可能に設けられる。具体的には、スライダ３０は、平板状で矩形の部材である。そして、スライダ３０は上部筐体３の内天面に対して平行に摺動する。また、スライダ３０には上面側と下面側との間で矩形に貫通した長孔部３４が設けられ、その長孔部３４の内壁には第２摺動方向Ｄ２に向かって棒状に突出した係止部３３が設けられている。更に、上面側と下面側との間で矩形に貫通した軸受孔３５が設けられる。本実施形態では、第１摺動方向Ｄ１と第２摺動方向とが垂直に交わる場合について説明するが、第１摺動方向Ｄ１と第２摺動方向Ｄ２とが垂直以外の他の角度で交わるように構成してもよい。
【００１９】
また、スライダ３０は、長手方向に沿った両側面に突出した支点軸部３６ａ、３６ｂを備える。そして、各支点軸部３６ａ、３６ｂは、円筒状に巻回された給電端子部材４０ａ、４０ｂの支点部４１ａ、４１ｂに取り囲まれる。また、支点軸部３６ａ、３６ｂとは別に、長手方向の両側面に突出した一対の第１押さえ部３１ａ、３１ｂがスライダ３０に形成されている。そして、各第１押さえ部３１ａ、３１ｂは、各給電端子部材４０ａ、４０ｂの接続端部４３ａ、４３ｂ側のワイヤを下方向に押さえる。また更に、スライダ３０の長手方向に沿った両側面の端部には、各給電端子部材４０ａ、４０ｂの接触端部４２ａ、４２ｂ側のワイヤを下向きに押さえる一対の第２押さえ部３２ａ、３２ｂが形成されている。
従って、スライダ３０は、一対の給電端子部材４０ａ、４０ｂを、支点軸部３６ａ、３６ｂによって保持し、第１押さえ部３１ａ、３１ｂ及び第２押さえ部３２ａ、３２ｂによって下向きに押さえている。また、接触端部４２ａ、４２ｂは第２摺動方向Ｄ２に向いて凸に形成されている。このように、一対の給電端子部材４０ａ、４０ｂはスライダ３０と一体に第２摺動方向Ｄ２に沿って移動する。
【００２０】
スライダ用スプリング３７は本発明の第２付勢手段として作用し、係止部３３を取り囲むようにして係止部３３に係止される。そして、スライダ用スプリング３７の一端は係止部３３の根本のスライダ３０（長孔部３４の内壁）に当接し、他端は上部筐体３の内天面から下方に突出するストッパ部６ａに当接する。従って、スライダ用スプリング３７は、スライダ３０を第２摺動方向Ｄ２とは逆方向に付勢している。また、上部筐体３の内天面から下方に突出するストッパ部６ｂは、スライダ３０が第２摺動方向Ｄ２とは逆方向に移動することを規制している。
【００２１】
カム２０は本発明の摺動方向変換手段として作用し、平板状で略三角形の部材で構成される。そして、その三角形の各頂点に位置する部位には、シャフト受け孔２３と第１回転軸部２１と第２回転軸部２２とが形成されている。シャフト受け孔２３は、上面側と下面側との間で円形に貫通した孔であり、そこには下部筐体７の内底面から突出した軸部材としてのシャフト８が挿入される。その結果、カム２０は、シャフト８に軸支されて、上部筐体３の内天面に対して平行に回動可能となる。但し、シャフト８は上部筐体３の内天面から突出するように構成してもよい。
第１回転軸部２１は、カム２０の上面側に垂直に突出する円形の部材である。そして、第１回転軸部２１がスライダカム１０の軸受孔１６に挿入されることで、スライダカム１０とカム２０とは互いに回動可能となる。
第２回転軸部２２は、カム２０の上面側に垂直に突出する円形の部材である。そして、第２回転軸部２２がスライダ３０の軸受孔３５に挿入されることで、スライダ３０とカム２０とは互いに回動可能となる。
以上のように、カム２０は、スライダカム１０及びスライダ３０と連結され、スライダカム１０の第１摺動方向Ｄ１への摺動を、スライダ３０の第２摺動方向Ｄ２への摺動に変換する。
【００２２】
次に、図３及び図４を参照して、スライダカム１０、スライダカム用スプリング１７、カム２０、スライダ３０、スライダ用スプリング３７、及び、給電端子部材４０ａ、４０ｂの動作について説明する。
図３（ａ）は、電気機器が充電装置１に装着されていない状態での筐体７の上面透視図である。この状態では、スライダカム１０はスライダカム用スプリング１７によって第１摺動方向Ｄ１とは逆方向に付勢されている。従って、スライダカム１０と互いに回動可能に連結されているカム２０は、シャフト８を回転中心として時計回り方向に付勢されている。更に、カム２０と互いに回動可能に連結されているスライダ３０は第２摺動方向Ｄ２とは逆方向に付勢される。また、スライダ３０自体も、スライダ用スプリング３７によって第２摺動方向Ｄ２とは逆方向に付勢されている。その結果、一対の給電端子部材４０ａ、４０ｂはスライダ３０によって第２摺動方向Ｄ２とは逆方向に移動した状態で保持される。
【００２３】
図４（ａ）は、電気機器が充電装置１に装着されていない状態での筐体２の凹部４の上面図である。そして、スライダカム１０の突出部１２ａ、１２ｂは、凹部４の突出部用出退孔２６ａ、２６ｂから突出している。また、上部筐体３の凹部４には、一対の給電端子部材４０ａ、４０ｂが突出可能な給電端子用出退孔２５ａ、２５ｂが設けられている。しかし、上述したように、一対の給電端子部材４０ａ、４０ｂはスライダ３０と共に第２摺動方向Ｄ２とは逆方向に変位しているので、凹部４の給電端子用出退孔２５ａ、２５ｂから引退した引退状態で保持されている。よって、電気機器が充電装置１に装着されていない状態では、充電装置１の給電端子部材４０ａ、４０ｂが装置外部に露出することもなく、給電端子部材４０ａ、４０ｂに物体が接触する可能性や、給電端子部材４０ａ、４０ｂ同士が短絡する可能性などを排除できる。
【００２４】
図３（ｂ）は、電気機器が充電装置１に装着されている状態での筐体７の上面透視図である。図示するように、電気機器の凹部４に対する装着によってスライダカム１０は第１摺動方向Ｄ１に摺動する。つまり、電気機器がスライダカム１０の傾斜面１３ａ、１３ｂに当接することで、スライダカム用スプリング１７の付勢力に抗してスライダカム１０が第１摺動方向Ｄ１に摺動させられる。つまり、傾斜面１３ａ、１３ｂに電気機器が当接することで、電気機器の重さ或いは筐体２の凹部４に電気機器を装着しようとする力によってスライダカム１０が電気機器に対して第１摺動方向Ｄ１へ相対移動することになる。そして、カム２０は反時計方向に回転し、スライダ３０は第２摺動方向Ｄ２に摺動させられる。その結果、凹部４から引退した状態で保持されていた一対の給電端子部材４０ａ、４０ｂは、スライダ３０と共に第２摺動方向Ｄ２に変位する。つまり、筐体２の凹部４への電気機器の装着と、充電装置１の給電端子用出退孔２５ａ、２５ｂからの給電端子部材４０ａ、４０ｂの接触端部４２ａ、４２ｂの突出とが連動することになる。
【００２５】
図４（ｂ）は、電気機器５０が充電装置１に装着されている状態での筐体２の凹部４の上面図である。上述したように、電気機器５０はスライダカム１０の突出部１２ａ、１２ｂと当接し、これら突出部１２ａ、１２ｂを筐体２の内部へ引退させようとする。また、図示するように、一対の給電端子部材４０ａ、４０ｂは第２摺動方向Ｄ２に変位して凹部４の給電端子用出退孔２５ａ、２５ｂから突出した突出状態にあり、凹部４に装着された電気機器５０の受電端子（図示せず）と接触する。その結果、充電装置１による電気機器５０の充電が行われる。
【００２６】
＜別実施形態＞
＜１＞
上記実施形態では、スライダカム１０を第１摺動方向Ｄ１へ付勢するためのスライダカム用スプリング１７と、スライダ３０を第２摺動方向Ｄ２へ付勢するためのスライダ用スプリング３７の両方を設けた場合について説明したが、スライダカム用スプリング１７及びスライダ用スプリング３７の少なくとも一方を設ければよい。
【００２７】
＜２＞
上記実施形態で説明した各種部品の構成は適宜変更可能である。例えば、スライダカム１０を複数の部品で分割して構成してもよい。
【００２８】
＜３＞
上記実施形態では、充電装置１を構成する各種部品（スライダカム１０、カム２０、スライダ３０等）が上部筐体３の内天面に装着される場合について説明したが、各種部品が下部筐体７の内底面に装着されるように構成してもよい。その場合、スライダカム１０の底板部１１は下部筐体７の内底面に対して平行に摺動するように設けられ、スライダ３０も下部筐体７の内底面に対して平行に摺動するように設けられる。また、カム２０も、下部筐体７の内底面に対して平行に回動可能となる。
【産業上の利用可能性】
【００２９】
本発明の充電装置は、携帯電話や携帯情報端末などの電気機器を充電するために利用できる。
【図面の簡単な説明】
【００３０】
【図１】充電装置の分解斜視図
【図２】充電装置の筐体内に各種部品が装着された状態を示す図
【図３】（ａ）は電気機器が充電装置に装着されていない状態での筐体の上面透視図であり、（ｂ）は電気機器が充電装置に装着されている状態での筐体の上面透視図
【図４】（ａ）は電気機器が充電装置に装着されていない状態での筐体の斜視図であり、（ｂ）は電気機器が充電装置に装着されている状態での筐体の凹部の斜視図
【図５】従来の充電装置の側方断面図
【符号の説明】
【００３１】
１  充電装置
２  筐体
３  上部筐体
４  凹部
７  下部筐体
８  シャフト（軸部材）
１０  スライダカム（第１摺動部材）
１２ａ  突出部
１２ｂ  突出部
１３ａ  傾斜面
１３ｂ  傾斜面
１７  スライダカム用スプリング（第１付勢手段）
２０  カム（摺動方向変換手段）
３０  スライダ（第２摺動部材）
３７  スライダ用スプリング（第２付勢手段）
４０ａ  給電端子部材
４０ｂ  給電端子部材
Ｄ１  第１摺動方向
Ｄ２  第２摺動方向
【図１】
2007195314.tif 000003
【図２】
2007195314.tif 000004
【図３】
2007195314.tif 000005
【図４】
2007195314.tif 000006
【図５】
2007195314.tif 000007